(57)【要約】【課題】  サイドポケットの開閉を容易にして、作業効率の向上を図る作業用ズボンを提供すること。【解決手段】  腿脇線上の両側或いはいずれか一方にサイドポケット２が縫着された作業用ズボン１であって、前記サイドポケット２には上辺近傍及び前側辺近傍にファスナーチャック３，４が設けられ、前記ファスナーチャック３，４の開放時における端部２ａ近傍とこれに対応するズボン部分１ｂ又は内側布部分２２ａには止具５が設けられ、開閉時に前記端部２ａが止具５によって仮止めされることを特徴とする。【選択図】      図３
0003121497.tif 000002
【実用新案登録請求の範囲】
【請求項１】
腿脇線上の両側或いはいずれか一方にサイドポケットが縫着された作業用ズボンであって、
前記サイドポケットには上辺近傍及び前側辺近傍にファスナーチャックが設けられ、前記ファスナーチャックの開放時における端部近傍とこれに対応するズボン又は内側布部分には止具が設けられ、
開閉時に前記端部が止具によって仮止めされることを特徴とする作業用ズボン。
【請求項２】
前記止具は、いずれか一方を雄、他方を雌とした面ファスナであることを特徴とする請求項１記載の作業用ズボン。
【請求項３】
前記止具は、磁石と磁性体、或いは、磁極の異なる磁石同士であることを特徴とする請求項１記載の作業用ズボン。
【請求項４】
前記止具は、いずれか一方を雄、他方を雌としたフォックであることを特徴とする請求項１記載の作業用ズボン。
【考案の詳細な説明】
【技術分野】
【０００１】
本考案は、作業用ズボンの改良に関するものであり、特に、腿脇線上に設けたサイドポケットの開閉を容易に行うことができる作業用ズボンに関するものである。
【背景技術】
【０００２】
作業用ズボンには、通常のズボンと異なり、工具等の作業用品、たばこやライター等の喫煙用品、携帯電話等の日用品を収納するために複数のポケットが設けられている。
意匠登録第９４５８２８号には、両側の腿脇線上に方形の布を縫着してサイドポケットを形成した作業用ズボンが開示されている。
【０００３】
この作業ズボンは、トラック運転者、作業機械運転者或いは工事現場でしゃがみ込んで行う作業者が、運転中或いは作業中に物の出し入れができるように、サイドポケットの上辺近傍に加え、前面側となる前側辺近傍にもファスナーチャックが設けられている。
【０００４】
そして、上辺近傍に設けられるファスナーチャックは前面側から開放でき、また、前側辺近傍に設けられるファスナーは上端側から開放できるようになっている。
【考案の開示】
【考案が解決しようとする課題】
【０００５】
しかし、このような構成からなる作業用ズボンは、開閉の際に外側の布のみが引っ張られてしまい、片手での開放し難い問題があり、また、上辺近傍及び前側辺近傍のいずれのファスナーチャックをも開放してしまうと、開放されたポケット側の端部が垂れ下がってしまい、再びファスナーチャックを閉鎖し難いという問題があった。
【０００６】
さらに、サイドポケットは、上述のように、方形の布の周囲をズボンに縫着して形成されているため、ファスナーチャックを開放する際、サイドポケットを構成する外側の布のみが引張られてしまい、開放し難いという問題もあった。
このようなサイドポケットの開閉の不具合は、作業者等の作業効率の低下にも繋がっている。
【０００７】
そこで、本考案は、片手でのサイドポケットの開閉を容易にすることにより、特に、自動車運転中の前方注意等の運転動作を妨げることがなく安全運転を確保でき、かつ、その他の作業中においても作業効率の向上を図る作業用ズボンを提供することを目的とする。
【課題を解決するための手段】
【０００８】
上記問題点を解決せんとする本考案に係る作業用ズボンは、腿脇線上の両側或いはいずれか一方にサイドポケットが縫着された作業用ズボンであって、前記サイドポケットには上辺近傍及び前側辺近傍にファスナーチャックが設けられ、前記ファスナーチャックの開放時における端部近傍とこれに対応するズボン又は内側布部分には止具が設けられ、開閉時に前記端部が止具によって仮止めされることを特徴とする。
【０００９】
前記止具は、いずれか一方を雄、他方を雌とした面ファスナー、磁石と磁性体、磁極の異なる磁石同士、又は、いずれか一方を雄、他方を雌としたフォックであることが好ましい。
【考案の効果】
【００１０】
本考案は以上の構成を採用することにより、サイドポケットの端部を仮止めできるため、従来のようにサイドポケットの端部が垂れ下がってしまうことがなく、また、サイドポケットを構成する外側の布のみが引張られることがなく、ファスナーチャックの開閉が容易となる。
【考案を実施するための最良の形態】
【００１１】
次に、この考案の実施するための最良の形態を図面を参照しつつ説明する。
ここで、図１は本考案に係る作業用ズボンの側面図、図２は図１の正面図、図３はサイドポケットの拡大図である。
符号１は本考案に係る作業ズボン１であって、この作業ズボン１には、その腿脇線１ａ上の両側に方形の１枚の布からなるサイドポケット２が縫着されている。
【００１２】
このサイドポケット２には、その上辺近傍に上側ファスナーチャック３、前面側の前側辺近傍に前側ファスナーチャック４が設けられている。
【００１３】
この上側ファスナーチャック３と前側ファスナーチャック４は、閉鎖時を始端点とすると、いずれも始端点が作業用ズボン１の側面視上、左上端近傍に設けられている。即ち、上側ファスナーチャック３はサイドポケット２の前面側近傍に始端点、後面側近傍に終端点を有し、前側ファスナーチャック４はサイドポケット２の下端側近傍に始端点、上端側近傍に終端点を有している。
【００１４】
なお、それぞれのファスナーチャック３，４は、摘み部３ｂ，４ｂが取り付けられたチャック３ａ，４ａを有し、このチャック３ａ，４ａにより開閉操作を行うことができる。
【００１５】
また、サイドポケット２の開放時端部２ａの近傍と、これに対応するズボン部分１ｂには、止具５が設けられている。この止具５は、端部２ａをこれに対応するズボン部分１ｂに仮止めするためのものである。
【００１６】
本実施形態においては、止具５として、いずれか一方を雄、他方を雌とした面ファスナーを採用している。このため、ファスナーチャックの閉鎖操作により、端部２ａは自然にズボン部分１ｂに仮止めされることになる。
なお、この面ファスナーは、小さすぎると仮止めの効果が無く、大きすぎるとサイドポケットの収納量が減り使用し難くなるため、円形であれば７ｍｍ〜２０ｍｍの範囲、方形であれば１辺が７ｍｍ〜２０ｍｍの範囲であることが望ましい。
【００１７】
以下には、このような構成からなる作業用ズボンの作用について説明する。
作業者が立った状態でサイドポケットを使用する場合には、上側ファスナーチャック３の開閉によりポケット内の作業用品等を取り出す。一方、椅子に腰をかけ或はしゃがんだ状態で開閉を行う場合には、前側ファスナーチャック４により開閉を行うことができる。
【００１８】
また、大きめな作業用品等を出し入れする場合等においては、上側ファスナーチャック３と前側ファスナーチャック４の両方を開閉して行うことになる。
上述のように、サイドポケット２の開放時端部２ａの近傍と、これに対応するズボン部分１ｂには止具５が設けられ、端部２ａはズボン部分１ｂに仮止めされている。このため、開放時にはサイドポケット２を構成する外側の布のみが引張られることがなく、また、閉鎖時には端部２ａをズボン部分１ｂに仮止めすることによって垂れ下がることもない。よって、サイドポケットの開閉が容易となる。
【００１９】
以上の実施形態においては、止具として面ファスナーを用いたが、本発明は何らこれに限定されるものではなく、いずれかを磁石とし他方を磁性体とし、また、磁極のことなる磁石同士、フォックの雄と雌等を使用することができる。
【００２０】
また、上述のサイドポケットは、１枚の布から構成されているが、本発明は何らこれに限定されるものではない。即ち、図４に示すように、サイドポケット２を、ファスナーチャックを設ける外側布２１と、ポケットの内側部分をなす内側布２２とで構成し、これを作業用ズボン１の腿脇線１ｂ上に縫着したものであってもよい。この場合には、ズボンに設けていた止具５を内側布２２の対応部分２２ａに設けることにより、上述と同様の効果を奏することができる。
【図面の簡単な説明】
【００２１】
【図１】本考案に係る作業用ズボンの側面図である。
【図２】本考案に係る作業用ズボンの正面図である。
【図３】サイドポケットの拡大図である。
【図４】本考案に係る作業用ズボンの他の実施形態の説明図である。
【符号の説明】
【００２２】
１      作業ズボン
１ａ    腿脇線
２      サイドポケット
２ａ    端部
３      上側ファスナーチャック
３ａ    チャック
３ｂ    摘み部
４      前側ファスナーチャック
４ａ    チャック
４ｂ    摘み部
５      止具
【図１】
0003121497.tif 000003
【図２】
0003121497.tif 000004
【図３】
0003121497.tif 000005
【図４】
0003121497.tif 000006